(57)【要約】【課題】本発明は、シーソースイッチのように軽く作動できるスイッチに対して、間違って切断動作を行わないようにする保持部材を設け、不用意に切断されないようにすると共に、切断状態から導通状態にする場合には、容易に操作できるようにすることを狙いとする。【解決手段】シーソースイッチを備えたタップコンセントにおいて、コンセントに接続されるプラグとコンセント本体の導電回路との間を導通または切断するシーソースイッチを備えたコンセントにおいて、該スイッチの導通状態を保持する保持部材を設けた構成である。【選択図】図１
2007122997.tif 000002
【特許請求の範囲】
【請求項１】
コンセントに接続されるプラグとコンセント本体の導電回路との間を導通または切断するシーソースイッチを備えたコンセントにおいて、該スイッチの導通状態を保持する保持部材を設けたことを特徴とするシーソースイッチを備えたタップコンセント。
【請求項２】
請求項１に記載のシーソースイッチを備えたタップコンセントにおいて、前記保持部材は、前記スイッチのオン作動部に接着可能な一端部と、コンセント本体に接着可能な他端部を備える柔軟なバンド部材を有することを特徴とする。
【請求項３】
請求項１に記載のシーソースイッチを備えたタップコンセントにおいて、前記保持部材は、コンセント本体全体を覆うボックス形状であってコンセント本体に対して摺動可能になっており、前記保持部材は、コンセント本体に対して摺動することによって、シーソースイッチのオン側端部を覆う位置と覆わない位置とで移動できることを特徴とする。
【請求項４】
請求項３に記載のシーソースイッチを備えたタップコンセントにおいて、前記保持部材は、前記コンセント本体の上面、側面及び底面を覆う上面、側面及び底面を備え、前記保持部材には前記コンセント本体の上面に設けられた該シーソースイッチに対応した開口部が形成され、該シーソースイッチの該オン側端部を覆うことが可能な保持片部が、該開口部の端部から伸びて一体に形成され、該保持部材を該コンセント本体に対して摺動することによって、該保持片部がシーソースイッチのオン側端部を覆う位置と覆わない位置とで移動できることを特徴とする。
【請求項５】
請求項１に記載のシーソースイッチを備えたタップコンセントにおいて、該シーソースイッチはオン側端部とオフ側端部とを備えるシーソー操作部を有し、該シーソー操作部の下方位置に、該シーソー操作部のオン／オフ操作に対応してシーソー作動するシーソー接点部材を備え、該シーソー接点部材の下方位置に該シーソー接点部材のシーソー作動によって導通或いは切断する接続部材を備え、該接続部材が導通する位置に該シーソー接点部材を保持可能な棒部材を備え、該棒部材は該コンセント本体の側部から外に飛び出た握り部を有することを特徴とする。
【発明の詳細な説明】
【技術分野】
【０００１】
本発明は、電気機器への電力供給に用いられるタップコンセントに関し、特にコンセント本体の電源接続部材とプラグ接続部との間を導通または切断するスイッチ付きのタップコンセントに関する。
【背景技術】
【０００２】
近年、ＯＡ機器の普及に伴いオフィスや住居において種々の電気機器が利用されている。これらの電気機器のほとんどは、室内の壁面あるいは床面に設置されたコンセントから電源供給を受けて作動する。一般に、室内の壁面あるいは床面には複数箇所にコンセントが設けられているものの、同コンセントは電気機器の設置場所に近接して設けられているとは限らない。そこで、タップコンセントを用いてプラグ接続部を電気機器の設置場所近くまで延長することが行なわれている。最近のタップコンセントには、スイッチ機能を備えたものはある。この種のスイッチ機能付きタップコンセントは、接続された電気機器への電力供給を一括して導通／切断する構造のもの（例えば、特許文献１及び２）や、個々にスイッチを設けたもの（特許文献３）などが使用されている。
【特許文献１】特開平１１−０４５７６９号公報（図１）
【特許文献２】特開平０７−２２０８１９号公報（図１）
【特許文献３】特開２００１−３１３１２６号公報（図１）
【発明の開示】
【発明が解決しようとする課題】
【０００３】
上記特許文献１〜３では、スイッチを切断することによって、電気機器へ配線されたプラグをコンセントから引き抜かなくても消費電力を低減でき、省エネルギーとなるメリットを有する。
【０００４】
しかし、当然、スイッチは操作しやすい位置に設けられており、誤ってスイッチに触れてしまい、スイッチが切断状態になることがある。コンセントをＯＡ機器等の電源として使用していた場合には、突然ＯＡ機器がオフになり、データが消滅してしまう結果となり、大きな不具合を生じる。
【０００５】
特に、前記シーソースイッチにおいては、電源の切断の動作を自動的に行うために、オフの動作を非常に軽く作動させ得るような機構のものとして構成されるので、スイッチに軽く触れたのみで、電源が切断されるという欠点がある。
【０００６】
本発明は、シーソースイッチのように軽く作動できるスイッチに対して、間違って切断動作を行わないようにする保持部材を設け、不用意に切断されないようにすると共に、切断状態から導通状態にする場合には、容易に操作できるようにすることを狙いとする。
【課題を解決するための手段】
【０００７】
請求項１の発明は、シーソースイッチを備えたタップコンセントにおいて、コンセントに接続されるプラグとコンセント本体の導電回路との間を導通または切断するシーソースイッチを備えたコンセントにおいて、該スイッチの導通状態を保持する保持部材を設けた構成である。
【０００８】
請求項２の発明は、請求項１に記載のシーソースイッチを備えたタップコンセントにおいて、前記保持部材は、前記スイッチのオン作動部に接着可能な一端部と、コンセント本体に接着可能な他端部を備える柔軟なバンド部材を有する構成である。
【０００９】
請求項３の発明は、請求項１に記載のシーソースイッチを備えたタップコンセントにおいて、前記保持部材は、コンセント本体全体を覆うボックス形状であってコンセント本体に対して摺動可能になっており、前記保持部材は、コンセント本体に対して摺動することによって、シーソースイッチのオン側端部を覆う位置と覆わない位置とで移動できる構成である。
【００１０】
請求項４の発明は、請求項３に記載のシーソースイッチを備えたタップコンセントにおいて、前記保持部材は、前記コンセント本体の上面、側面及び底面を覆う上面、側面及び底面を備え、前記保持部材には前記コンセント本体の上面に設けられた該シーソースイッチに対応した開口部が形成され、該シーソースイッチの該オン側端部を覆うことが可能な保持片部が、該開口部の端部から伸びて一体に形成され、該保持部材を該コンセント本体に対して摺動することによって、該保持片部がシーソースイッチのオン側端部を覆う位置と覆わない位置とで移動できる構成である。
【００１１】
請求項５の発明は、請求項１に記載のシーソースイッチを備えたタップコンセントにおいて、該シーソースイッチはオン側端部とオフ側端部とを備えるシーソー操作部を有し、該シーソー操作部の下方位置に、該シーソー操作部のオン／オフ操作に対応してシーソー作動するシーソー接点部材を備え、該シーソー接点部材の下方位置に該シーソー接点部材のシーソー作動によって導通或いは切断する接続部材を備え、該接続部材が導通する位置に該シーソー接点部材を保持可能な棒部材を備え、該棒部材は該コンセント本体の側部から外に飛び出た握り部を有する構成である。
【発明の効果】
【００１２】
請求項１の発明によれば、シーソースイッチのように軽く作動する対象物に対しても、間違ってスイッチをオフにすることが防止できる。
【００１３】
請求項２の発明によれば、低コストで且つ簡単に既存のスイッチ付きコンセントに対して適用できる。また、コンセント本体の形状が少々異なる形状であっても適用できる。
【００１４】
請求項３の発明によれば、間違ってスイッチをオフにすることが確実に防止できる。また、既存のスイッチ付きコンセントに対しても適用できる。
【００１５】
請求項４の発明によれば、保持部材を軽くでき、低コスト化できる。
【００１６】
請求項５の発明によれば、間違ってスイッチをオフにすることが更に確実に防止できる。
【発明を実施するための最良の形態】
【００１７】
以下、本発明の実施形態を図面に基づいて説明する。
【００１８】
（実施形態１）
本発明の実施形態１を図１及び図２に基づいて説明する。タップコンセントであるコンセント本体１の側面１ａにコンセント部２、２、２が設けられている。これらのコンセント部２、２、２に電気機器に接続されるプラグ（図示せず）が差し込まれて導電するようになっている。これらのコンセント部２、２、２に対応して、コンセント本体１の上面１ｂにシーソースイッチ３、３、３が設けられている。各スイッチ３は、図１において、右側が押し下げられた場合がオン（導通）状態で、左側が押し下げられた場合がオフ（切断）状態となるようになっている。コンセント本体１内で各コンセント部２及び各スイッチ３で導電回路をそれぞれ形成し、各スイッチ３によって各コンセント部２の導通／切断を切り替えるようになっている。
【００１９】
各スイッチ３のオン側端部３ａに接合可能で、コンセント本体１の上面１ｂに接合可能なテープ状の保持部材１０が設けられている。この保持部材１０は、図２に示すように、一端部１０ａに接着剤１１が塗布され、その表面には離面紙１２が接着されている。保持部材１０の他端部１０ｂには、接離可能にマジックテープ（登録商標）１３が取付けられている。マジックテープ（登録商標）１３の一方１３ａが保持部材１０の他端部１０ｂに固定され、他方１３ｂの背面に接着剤１４が塗布され、その表面には離面紙１５が接着されている。
【００２０】
使用時には、シーソースイッチ３をオン（導通）状態にして、保持部材１０の一端部１０ａ側の離面紙１２を剥がして、接着剤１１を露出させ、この接着剤１１で保持部材１０の一端部１０ａをシーソースイッチ３のオン側端部３ａの上面に接着する。そして、保持部材１０の他端部１０ｂに固定されたマジックテープ（登録商標）１３の離面紙１５を剥がして、接着剤１４によって、コンセント本体１の上面１ｂに保持部材１０の他端部１０ｂを接着させる。この時に、保持部材１０を緊張した状態とする。これによって、マジックテープ（登録商標）１３aと１３ｂとを外さないと、シーソースイッチ３のオン側端部３ａが簡単には持ち上がらない状態にしておく。
【００２１】
また、シーソースイッチ３をオフ（切断）状態にしたい時には、マジックテープ（登録商標）１３の一方１３ａと他方１３ｂとの係合を手動で外し、保持部材１０をフリーな状態にする。このようにして、シーソースイッチ３を軽い力でオフできる状態にした後で、シーソースイッチ３のオフ側端子３ｂを押し下げて、シーソースイッチ３をオフ（切断）状態にする。
【００２２】
この実施形態１では、シーソースイッチ３のオン状態を保持部材１０で保持するので、不用意にオン状態が解除されることを防止できる。特に、この実施形態１では、既存のシーソースイッチ付きコンセントに対して、保持部材１０を取り付けるだけで、簡単に適用できる。特に、マジックテープ（登録商標）でテープ状の保持部材を取り付けたり、外したりできるようにしてので、低コストであり、取付／取外が簡単である。
【００２３】
また、保持部材１０は柔軟な紙、ゴム、樹脂などからなり、コンセントの形状の異なるものにも対応可能であり、各種のシーソースイッチ付きコンセントに適用可能なメリットを有する。
【００２４】
実施形態１では、コンセント部毎にスイッチを有するものであったが、複数のコンセント部に対して一緒に同時にオン／オフする一括管理するスイッチであっても良い。保持部材１０の他端部１０ｂを、コンセント本体１の上面１ｂに接合したが、上面１ｂでなく、側面１ｃに接合するようにしても良い。
【００２５】
また、保持部材１０の一端部１０ａを接着剤１１でシーソースイッチ３のオン側端部３aに接着して、他端部１０ｂをマジックテープ（登録商標）１３でコンセント本体１の上面１ｂ取り付けるようにしたが、逆にしても良く、両方ともマジックテープ（登録商標）にしても良い。
【００２６】
なお、マジックテープ（登録商標）に限られるものではなく、例えば、スナップボタンのように、突出部とそれに覆い被さるスナップ部からなるものであっても良く、また、フックのようなものであっても良い。これらの場合には、取り付け状態が確実であり、不意に外れる可能性を大幅に低減できる。
【００２７】
実施形態２について、図３及び図４に基づいて説明する。コンセント本体２１には、上面２１ｂに１つのコンセント部２２が設けられている。このコンセント部２２に並んでシーソースイッチ２３が配設されている。保持部材３０はボックス形状からなり、その正面３０ａがコンセント本体２１の断面に相当する開口に形成されている。保持部材３０の側面３０ｂ、３０ｂはコンセント本体２１の側面２１a、２１aに沿ってスライドし、保持部材３０の底面３０ｃはコンセント本体２１の底面に沿ってスライドし、保持部材３０の上面３０ｄはコンセント本体２１の上面２１ｂに沿ってスライド可能に形成されている。保持部材３０の背面３０ｅはコンセント本体２１の背面２１ｅと略同じ形状で形成されている。
【００２８】
保持部材３０の上面３０ｄには、シーソースイッチ２３よりも大きな開口部３１が開口され、開口部３１の辺部からオン側端部２３ａを覆うように保持片部３２が伸びて一体に形成されている。
【００２９】
また、コンセント本体２１の側面２１ａ、２１ａに、接着剤等でバンド３３を貼り付けている。このバンド３３によって、保持部材３０をスライドさせて保持片部３２をシーソースイッチ２３のオン側端部２３ａの上に位置させた際に、保持片部３２がスライドして不用意に抜けないように保持するものである。
【００３０】
なお、保持部材３０によってスイッチ２３のオフ側端部２３ｂをも覆い隠すようにするためには、この部分だけを上方に突出した形状に保持部材３０の上面３０ｄを成形する必要があり、このようにすると、構造が複雑となり、コストアップになり、見た目も悪い。そのため、本実施形１では、スイッチ３のオフ側端部３ｂを覆い隠すことなく開口部３１として開口するようにして、保持片部３２が低コストでコンパクトなすっきりして見栄えも良いものとすることができた。
【００３１】
さらに、開口部３１によって、ＯＮ、ＯＦＦの表示部分を覆い隠さないようにしているので、表示が見える安心感を与えることができる。また、保持部材３０を透明又は半透明で製作しても汚れると見えなくことがあるが、この実施形態１では、上述したように表示部分を覆って無いので、保持部材３０を透明でも半透明でも製作しても良く、またカラーで製作することも可能であり、バラエティーに富んだものを採用できる。
【００３２】
実施形態３を図５及び図６に基づいて説明する。実施形態３は、実施形態２の変形例であって、変更部分のみを説明する。なお、図６では、突起４３を解かりやすく説明するために、一部カットした図としている。保持部材３０をスライドさせて、シーソースイッチ２３をオン状態に保持する状態になった時に、保持片部４２がシーソースイッチ２３のオン側端部２３ａを乗越えて位置する長さを有する。この保持片部４２の先端部には、内側に向けて突起４３が設けられている。この突起４３がシーソースイッチ２３のオン側端部２３ａを乗越えて、オン側端部２３ａに引っ掛かる状態となるので、簡単に抜けることを防止できる。
このように保持片部４２の突起４３があるために、保持部材３０を成形する上で複雑な型形状にする必要が生じるが、そのことを避けたい場合には、例えば、保持片部４２をｐｐヒンジで折り曲げ可能に成形することも可能であり、また突起４３を後から接着して取り付けるようにしても良い。
【００３３】
実施形態4を図７ないし図９に基づいて説明する。実施形態４は、２つのコンセント部５２、５２に対して、1つのシーソースイッチ５３を設けた例を示す。図７は、上蓋５０を外した状態のコンセント本体５１を示す。コンセント部５２、５２の一方のコンタクト接点５２aが、配線６５を経由して一方の接続端子６８に接続され、他方のコンタクト接点５２ｂが、配線６６でシーソースイッチ５３の接続部材５７に接続され、このシーソースイッチ５３の接続部材５８からに配線６７を経由して他方の接続端子６９に接続されている。接続端子６８及び６９には、通常の配線、例えば家庭用の配線が接続され、電源につながるようになっている。
【００３４】
シーソースイッチ５３の詳細構造を図８及び図９によって説明する。図８は、図７のＡ−Ａ矢視図であり、図８は部分拡大図を示す。接続部材５７及び接続部材５８の上方位置にシーソー接点部材５５が配設され、このシーソー接点部材５５の上に操作部５４が配設されている。接続部材５８はシーソー接点部材５５の回転中心に連結され導通状態に接続されている。シーソー接点部材５５の一端は、下方に折り曲げられており、オフ状態の時にシーソー接点部材５５と接続部材５８との接触を確実に防止している。シーソー接点部材５５の他端は上側に折り曲げられて、その中央部分が凹部形状に切欠けられ、棒部材６０の受部５６を形成している。棒部材６０は、内壁７１及び外壁７２の開口部を通過して、外に飛び出ている。棒部材６０の先端には握り部６１が設けられ、操作者が握って操作しやすい形状に形成されている。棒部材６０の途中には、突起６２が設けられ、この突起６２と外壁７２間にスプリング６３が配設され、棒部材６０を内側方向に強いている。
【００３５】
実施形態４の作動について説明する。シーソースイッチ５３の操作部５４のオン側端部５４ａを押し下げると、図８に示すように、操作部５４が反時計方向に回転し、シーソー接点部材５５は、逆に時計方向に回転する。このことによって、シーソー接点部材５５と接続部材５７とが導電状態に接続される。シーソー接点部材５５と接続部材５８とが導電状態で接続されているので、接続部材５７と接続部材５８とが導電状態で接続されることとなり、配線６６と配線６７とが導電接続された状態となる。この結果、コンセント部５２と接続端子６８、６９とが導通可能な状態となる。
【００３６】
この状態には、棒部材６０は内方に強いられているので、棒部材６０の内端は受部５６の凹部を貫通して内方に入り込んだ状態となる。従って、不用意にシーソースイッチ５３の操作部５４に接触してオフ側端部５４ｂを押し込もうとしても、シーソー接点部材５５が反時計方向に回転することを棒部材６０で阻止しているので、オフ側端部５４ｂは押し下げられることが無く、オン側端子５４ａが押し下げられた状態に維持される。特に、棒部材６０がスプリング６３によって内方に強いられているので、あえて棒部材６０を内方に押し込んで、受部６２に挿入して係合する必要はなく、オン側端部５４ａを押し込むだけで自然に棒部材６０が受部６２に係合でき、ワンタッチでロックもかかるようになっている。
【００３７】
なお、正常にオフ側端部５４を押し下げたい場合には、棒部材６０の握り部６１を持って、外側に引き抜き、受部５６と棒部材６０との係合を解除する。この状態に保持したままで、空いている他方の手でオフ側端部５４ｂを押し下げれば、シーソースイッチ５３がオフ状態になる。即ち、オフにする際には、２つの動作を必要とすることで、不用意にオフになることが確実に防止される。
【００３８】
実施形態４において、シーソースイッチ５３の他端に受部５６を設けて、棒部材６０をこの受部５６に係合するようにしたが、この構造に限られるものではない。例えば、シーソースイッチ５３の一端に別の棒部材を押し込むようにして、シーソースイッチ５３の一端が下げられるのを防止するようにしても良い。また、操作部５４のオフ側端部５４ｂが押し下げられるのを防止するようにしても良い。
【００３９】
また、実施形態４ではシーソースイッチは１つだけであったが、各コンセント部にシーソースイッチが設けられたものにも適用可能である。
【００４０】
他の実施形態として、実施形態２において、バンドを設ける代わりに、コンセント本体２１と保持部材３０との側面同士の一方に溝からなるガイドを設け、他方にこの溝に嵌る凸部を設けてスライドできるようにしても良い。そして、所定位置まで、スライドさせた位置で、ガイド溝と凸部間にスライド抵抗が大きくなるような抵抗部を設け、簡単に外れないようにすると、より効果的である。スライド抵抗の構造としては、例えば、ガイド溝を浅くして、凸部との抵抗を大きくする等が簡易的な手段である。しかし、この手段に限られるものではない。
【産業上の利用可能性】
【００４１】
以上説明したように、本発明に係るシーソースイッチを備えたタップコンセントは、例えば、ＯＡ機器等へ電力供給する場合に適している。
【図面の簡単な説明】
【００４２】
【図１】本発明の実施形態１に係り、全体構成の概略を示す平面図である。
【図２】図１の保持部材の概略を説明する斜視図である。
【図３】本発明の実施形態２に係り、全体構成の概略を示す平面図である。
【図４】図３の保持部材の概略を説明する斜視図である。
【図５】本発明の実施形態３に係り、全体構成の概略を示す平面図である。
【図６】図５の保持部材の概略を説明する斜視図である。
【図７】本発明の実施形態４に係り、全体構成の概略を示す斜視図および上蓋を外した状態の平面図である。
【図８】図７のＡ−Ａ矢視断面図である。
【図９】図８の要部拡大図である。
【符号の説明】
【００４３】
１      コンセント本体
２      コンセント部
３      シーソースイッチ
３ａ    オン側端部
３ｂ    オフ側端部
１０    保持部材
１３    マジックテープ（登録商標）
２１      コンセント本体
２２      コンセント部
２３      シーソースイッチ
２３ａ    オン側端部
２３ｂ    オフ側端部
３０      保持部材
３２      保持片部
５１      コンセント本体
５２      コンセント部
５３      シーソースイッチ
５４      操作部
５５      シーソー接点部材
５６      受部（凹部）
６０      棒部材
【図１】
2007122997.tif 000003
【図２】
2007122997.tif 000004
【図３】
2007122997.tif 000005
【図４】
2007122997.tif 000006
【図５】
2007122997.tif 000007
【図６】
2007122997.tif 000008
【図７】
2007122997.tif 000009
【図８】
2007122997.tif 000010
【図９】
2007122997.tif 000011